【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
ヒト患者において血管拡張薬誘発性心筋ストレスの灌流画像化の間に心筋機能不全を診断するための組成物であって、該組成物は、少なくとも１つの部分Ａ２Ａアデノシン受容体アゴニストを含み、該患者が最大下運動をしている間に該患者に投与され、そして少なくとも１０μｇの該部分Ａ２Ａアデノシン受容体アゴニストが投与されるような量で投与されるものであることを特徴とする、組成物。
【請求項２】
前記組成物は、前記患者に約１０００μｇ以下の前記部分Ａ２Ａアデノシン受容体アゴニストが投与されるように投与されるものであることを特徴とする、請求項１に記載の組成物。
【請求項３】
前記組成物は、前記投与される部分Ａ２Ａアデノシン受容体アゴニストの量が約６００μｇを超えるように投与されるものであることを特徴とする、請求項１に記載の組成物。
【請求項４】
前記組成物は、前記投与される部分Ａ２Ａアデノシン受容体アゴニストの量が約１００μｇを超えるように投与されるものであることを特徴とする、請求項１に記載の組成物。
【請求項５】
前記組成物は、前記投与される部分Ａ２Ａアデノシン受容体アゴニストの量が約１０μｇ〜約６００μｇの範囲にあるように投与されるものであることを特徴とする、請求項１に記載の組成物。
【請求項６】
単一用量で投与されるものであることを特徴とする、請求項５に記載の組成物。
【請求項７】
静脈内ボーラスによって投与されるものであることを特徴とする、請求項６に記載の組成物。
【請求項８】
約１０秒未満で投与されるものであることを特徴とする、請求項６に記載の組成物。
【請求項９】
前記組成物は、前記投与される部分Ａ２Ａアデノシン受容体アゴニストの量が約５００μｇを超えるように投与されるものであることを特徴とする、請求項６に記載の組成物。
【請求項１０】
前記組成物は、前記部分Ａ２Ａアデノシン受容体アゴニストが約１００μｇ〜約５００μｇの範囲の量で投与されるように投与されるものであることを特徴とする、請求項６に記載の組成物。
【請求項１１】
前記部分Ａ２Ａアデノシン受容体アゴニストが、ＣＶＴ−３０３３、リガデノソンおよびそれらの組合せからなる群から選択される、請求項１に記載の組成物。
【請求項１２】
ヒト患者において血管拡張薬誘発性心筋ストレスの灌流画像化の間に心筋機能不全を診断するための組み合わせ物であって、該組み合わせ物は、放射性核種および部分Ａ２Ａ受容体アゴニストを含み、該患者が最大下運動をしている間に投与されるものであり、該部分Ａ２Ａ受容体アゴニストは、約１０μｇ〜約６００μｇの範囲の量で投与されるものであることを特徴とする、組み合わせ物。
【請求項１３】
前記部分Ａ２Ａアデノシン受容体アゴニストの前記投与が冠動脈血流の少なくとも２．５倍の増加を引き起こす、請求項１２に記載の組み合わせ物。
【請求項１４】
冠動脈血流の前記少なくとも２．５倍の増加が、前記部分Ａ２Ａアデノシン受容体アゴニストの前記投与から約１分以内に達成される、請求項１３に記載の組み合わせ物。
【請求項１５】
前記放射性核種および前記部分Ａ２Ａアデノシン受容体アゴニストが別々に投与されることを特徴とする、請求項１２に記載の組み合わせ物。
【請求項１６】
前記放射性核種および前記部分Ａ２Ａアデノシン受容体アゴニストが同時に投与されることを特徴とする、請求項１２に記載の組み合わせ物。
【請求項１７】
冠動脈血流の前記少なくとも２．５倍の増加の持続期間が約５分未満である、請求項１３に記載の組み合わせ物。
【請求項１８】
冠動脈血流の前記少なくとも２．５倍の増加の持続期間が約３分未満である、請求項１７に記載の組み合わせ物。
【請求項１９】
ヒト患者において血管拡張薬誘発性心筋ストレスの灌流画像化の間に心筋機能不全を診断するための組成物であって、該組成物は、リガデノソンを含み、該患者が最大下運動をしている間に投与され、リガデノソンが約１０〜約６００μｇの範囲の量で投与されるように単一の静脈内ボーラスによって投与されるものであることを特徴とする、組成物。
【請求項２０】
ヒト患者において血管拡張薬誘発性心筋ストレスの灌流画像化の間に心筋機能不全を診断するための組成物であって、該組成物は、リガデノソンを含み、該患者が最大下運動をしている間に投与され、リガデノソンが約１００〜約５００μｇの範囲の量で投与されるように単一の静脈内ボーラスによって投与されるものであることを特徴とする、組成物。
【手続補正２】
【補正対象書類名】明細書
【補正対象項目名】００４０
【補正方法】変更
【補正の内容】
【００４０】
心筋ストレス灌流画像化方法の他の実施形態では、心筋機能不全を検出する工程は、無病の冠血管と比較したときの、有病の冠血管の血管拡張能力（予備能力）を評価することを含む。
本発明はまた、以下の項目を提供する。
（請求項１）
ヒト患者において血管拡張薬誘発性心筋ストレスの灌流画像化の間に心筋機能不全を診断する方法であって、上記患者が最大下運動をしている間、上記患者に少なくとも１０μｇの少なくとも１つの部分Ａ２Ａアデノシン受容体アゴニストを投与することを含む方法。
（請求項２）
上記患者に約１０００μｇ以下の上記部分Ａ２Ａアデノシン受容体アゴニストが投与される、請求項１に記載の方法。
（請求項３）
上記投与される部分Ａ２Ａアデノシン受容体アゴニストの量が約６００μｇを超える、請求項１に記載の方法。
（請求項４）
上記投与される部分Ａ２Ａアデノシン受容体アゴニストの量が約１００μｇを超える、請求項１に記載の方法。
（請求項５）
上記投与される部分Ａ２Ａアデノシン受容体アゴニストの量が約１０μｇ〜約６００μｇの範囲にある、請求項１に記載の方法。
（請求項６）
上記Ａ２Ａアデノシン受容体が単一用量で投与される、請求項５に記載の方法。
（請求項７）
上記部分Ａ２Ａアデノシン受容体アゴニストが静脈内ボーラスによって投与される、請求項６に記載の方法。
（請求項８）
上記部分Ａ２Ａアデノシン受容体アゴニストが約１０秒未満で投与される、請求項６に記載の方法。
（請求項９）
上記投与される部分Ａ２Ａアデノシン受容体アゴニストの量が約５００μｇを超える、請求項６に記載の方法。
（請求項１０）
上記部分Ａ２Ａアデノシン受容体アゴニストが約１００μｇ〜約５００μｇの範囲の量で投与される、請求項６に記載の方法。
（請求項１１）
上記部分Ａ２Ａアデノシン受容体アゴニストが、ＣＶＴ−３０３３、リガデノソンおよびそれらの組合せからなる群から選択される、請求項１に記載の方法。
（請求項１２）
ヒト患者において血管拡張薬誘発性心筋ストレスの灌流画像化の間に心筋機能不全を診断する方法であって、上記患者が最大下運動をしている間に放射性核種および約１０μｇ〜約６００μｇの範囲の量の部分Ａ２Ａ受容体アゴニストを投与することを含み、上記放射性核種および上記部分Ａ２Ａ受容体アゴニストの投与の後に上記心筋が血流の不十分な領域について検査される方法。
（請求項１３）
上記心筋検査が、上記部分Ａ２Ａアデノシン受容体アゴニストが投与される時間から約１分以内に始まる、請求項１２に記載の方法。
（請求項１４）
上記部分Ａ２Ａアデノシン受容体アゴニストの上記投与が冠動脈血流の少なくとも２．５倍の増加を引き起こす、請求項１２に記載の方法。
（請求項１５）
冠動脈血流の上記少なくとも２．５倍の増加が、上記部分Ａ２Ａアデノシン受容体アゴニストの上記投与から約１分以内に達成される、請求項１４に記載の方法。
（請求項１６）
上記放射性核種および上記部分Ａ２Ａアデノシン受容体アゴニストが別々に投与される、請求項１２に記載の方法。
（請求項１７）
上記放射性核種および上記部分Ａ２Ａアデノシン受容体アゴニストが同時に投与される、請求項１２に記載の方法。
（請求項１８）
冠動脈血流の上記少なくとも２．５倍の増加の持続期間が約５分未満である、請求項１４に記載の方法。
（請求項１９）
冠動脈血流の上記少なくとも２．５倍の増加の持続期間が約３分未満である、請求項１８に記載の方法。
（請求項２０）
ヒト患者において血管拡張薬誘発性心筋ストレスの灌流画像化の間に心筋機能不全を診断する方法であって、上記患者が最大下運動をしている間、リガデノソンを約１０〜約６００μｇの範囲の量で単一の静脈内ボーラスによって投与することを含む方法。
（請求項２１）
ヒト患者において血管拡張薬誘発性心筋ストレスの灌流画像化の間に心筋機能不全を診断する方法であって、上記患者が最大下運動をしている間、リガデノソンを約１００〜約５００μｇの範囲の量で単一の静脈内ボーラスによって投与することを含む方法。